(57)【要約】【課題】本発明の１つの態様によれば、人工芝カバーなどの床張りに衝撃吸収特性および十分な弾性特性を与えるための床張りの下方に敷設される弾性基層が提供される。【解決手段】本発明の１つの態様に係る床張りのための弾性基層は、第１の層構造体と、第２の層構造体と、第１および第２の層構造体の間でこれらにより包囲されるポーチとを備え、ポーチは、顆粒状弾性材料からなる充填材を収容することを特徴とする。【選択図】図１
2006328944.tif 000002
【特許請求の範囲】
【請求項１】
床張り（１）のための弾性基層であって、
第１の層構造体（２１，２２）と、
第２の層構造体（２４，２５）と、
第１および第２の層構造体の間でこれらにより包囲されるポーチ（２２ａ）とを備え、
ポーチ（２２ａ）は、顆粒状弾性材料（２３）からなる充填材を収容することを特徴とする弾性基層。
【請求項２】
請求項１に記載の弾性基層であって、
第１および第２の層構造体のうちの少なくとも一方は、ポリオレフィン層（２２，２４）が接合した不織布層（２１，２５）からなり、
ポリオレフィン層がポーチ（２２ａ）に面していることを特徴とする弾性基層。
【請求項３】
請求項２に記載の弾性基層であって、
第１および第２の層構造体の両方は、ポリオレフィン層（２２，２４）が接合した不織布層（２１，２５）からなり、
第１および第２の層構造体のポリオレフィン層（２２，２４）が、その間でポーチ（２２ａ）を包囲していることを特徴とする弾性基層。
【請求項４】
請求項２または３に記載の弾性基層であって、
不織布層（２１，２５）は、連続糸ジオテキスタイル不織布からなることを特徴とする弾性基層。
【請求項５】
請求項２または３に記載の弾性基層であって、
不織布層（２１，２５）は、単位面積あたりの重量が２００〜４００ｇ／ｍ２であることを特徴とする弾性基層。
【請求項６】
請求項５に記載の弾性基層であって、
不織布層（２１，２５）は、単位面積あたりの重量が３００ｇ／ｍ２であることを特徴とする弾性基層。
【請求項７】
請求項２または３に記載の弾性基層であって、
不織布層（２１，２５）は、ポリエステル系材料からなることを特徴とする弾性基層。
【請求項８】
請求項２または３に記載の弾性基層であって、
ポリオレフィン層（２２）は、単位面積あたりの重量が６０〜１２０ｇ／ｍ２であることを特徴とする弾性基層。
【請求項９】
請求項８に記載の弾性基層であって、
ポリオレフィン層（２２）は、単位面積あたりの重量が９０ｇ／ｍ２であることを特徴とする弾性基層。
【請求項１０】
請求項２または３に記載の弾性基層であって、
ポリオレフィン層（２２）は、低密度ポリエチレン（ＬＤＰＥ）などのポリエチレン系材料からなることを特徴とする弾性基層。
【請求項１１】
請求項１〜１０のいずれか一に記載の弾性基層であって、
ポーチ（２２ａ）は、六面体形状を有することを特徴とする弾性基層。
【請求項１２】
請求項１〜１１のいずれか一に記載の弾性基層であって、
ポーチ（２２ａ）は、正方形の底面を有することを特徴とする弾性基層。
【請求項１３】
請求項１〜１２のいずれか一に記載の弾性基層であって、
ポーチ（２２ａ）は、一辺の長さが２０〜６０ｍｍ、通常４５ｍｍであることを特徴とする弾性基層。
【請求項１４】
請求項１〜１３のいずれか一に記載の弾性基層であって、
ポーチ（２２ａ）は、高さが２０〜４０ｍｍ、通常３０ｍｍであることを特徴とする弾性基層。
【請求項１５】
請求項１〜１４のいずれか一に記載の弾性基層であって、
ポーチ（２２ａ）は、５〜２０ｋｇ／ｍ２の顆粒状弾性材料（２３）が充填されることを特徴とする弾性基層。
【請求項１６】
請求項１〜１５のいずれか一に記載の弾性基層であって、
ポーチ（２２ａ）は、約１２ｋｇ／ｍ２の顆粒状弾性材料（２３）が充填されることを特徴とする弾性基層。
【請求項１７】
請求項１〜１６のいずれか一に記載の弾性基層であって、
顆粒状弾性材料（２３）は、リサイクル処理されたタイアの顆粒からなることを特徴とする弾性基層。
【請求項１８】
請求項１〜１７のいずれか一に記載の弾性基層であって、
顆粒状弾性材料（２３）は、０．５ｍｍ〜０．７ｍｍの大きさを有することを特徴とする弾性基層。
【請求項１９】
請求項１〜１８のいずれか一に記載の弾性基層であって、
第１の層構造体（２１，２２）および第２の層構造体（２４，２５）は、顆粒状弾性材料（２３）を収容するポーチ（２２ａ）を密閉し、各ポーチおよびその内容物を不浸透性とすることを特徴とする弾性基層。
【請求項２０】
請求項３または１９に記載の弾性基層であって、
顆粒状弾性材料（２３）を収容するポーチ（２２ａ）は、第１の層構造体（２１，２２）および第２の層構造体（２４，２５）の２つのポリオレフィン層（２２，２４）により密閉され、
２つのポリオレフィン層（２２，２４）は、互いにシールされることを特徴とする弾性基層。
【請求項２１】
請求項１〜２０のいずれか一に記載の弾性基層であって、
ポーチ（２２ａ）の側方および／または角部に設置されたドレイン孔を有することを特徴とする弾性基層。
【請求項２２】
請求項１〜２１のいずれか一に記載の弾性基層であって、
プレートまたはパネルの形態を有することを特徴とする弾性基層。
【請求項２３】
請求項２２に記載の弾性基層であって、
プレートまたはパネルは、１２０ｃｍ×１０５ｃｍの面積を有することを特徴とする弾性基層。
【請求項２４】
請求項２２に記載の弾性基層であって、
ポーチ（２２ａ）は、一辺の長さが３０ｍｍより大きく、高さが３０ｍｍより大きいことを特徴とする弾性基層。
【請求項２５】
請求項１〜２１のいずれか一に記載の弾性基層であって、
シートまたはロールの形態を有することを特徴とする弾性基層。
【請求項２６】
請求項２５に記載の弾性基層であって、
ポーチ（２２ａ）は、一辺の長さが３０ｍｍより小さく、高さが３０ｍｍより小さいことを特徴とする弾性基層。
【請求項２７】
請求項１〜２６のいずれか一に記載の弾性基層であって、
弾性基層の上に床張りが配設されることを特徴とする弾性基層。
【請求項２８】
請求項２７に記載の弾性基層であって、
床張りは、スポーツ施設用床張り（１）であることを特徴とする弾性基層。
【請求項２９】
請求項２７に記載の弾性基層であって、
スポーツ施設用床張り（１）は、人工芝カバー（１）であることを特徴とする弾性基層。
【請求項３０】
請求項１〜２９のいずれか一に記載の弾性基層の製造方法であって、
第１の層構造体（２１，２２）を形成するステップと、
第１の層構造体（２１，２２）からポーチ（２２ａ）を形成するステップとを有することを特徴とする方法。
【請求項３１】
請求項３０に記載の方法であって、
熱成形により、第１の層構造体（２１，２２）からポーチ（２２ａ）を形成するステップとを有することを特徴とする方法。
【請求項３２】
請求項３１または３２に記載の方法であって、
顆粒状材料（２３）をポーチ（２２ａ）に充填するステップと、
第２の層構造体（２４，２５）を形成するステップと、
顆粒状材料（２３）が充填されたポーチ（２２ａ）の上に第２の層構造体（２４，２５）を配置して、ポーチ（２２ａ）を密閉するステップとを有することを特徴とする方法。
【請求項３３】
請求項３２に記載の方法であって、
顆粒状材料（２３）が充填されたポーチ（２２ａ）の上で第２の層構造体（２４，２５）を熱シールするステップを有することを特徴とする方法。
【発明の詳細な説明】
【技術分野】
【０００１】
本発明は、床張り（flooring）のための弾性基層（弾性を有する基礎部材）に関する。
【０００２】
本発明は、スポーツ施設の床張りに関連して用いられるよう特に配慮されて考案されたものであるが、実際のところ、すべてのスポーツ施設に適した制御された弾性基層を提供するだけでなく、外傷性傷害および／または施術された外科手術を受けた人々のリハビリのためにも用いられ、同様に幼い子供の安全な遊び場としても用いられる。
【０００３】
とりわけ本発明は、米国特許第６，８７７，５３５号（欧州特許出願公開第１１５８０９９号に対応）に記載されたタイプの人工芝カバーとともに好適に用いられる。これらは実質的に人工芝カバーであり、天然芝からなる草色の草地を模した基板から延びた複数の糸状形成物を有するシート状の薄層ベースと、糸状形成物を実質的に直立した状態で維持するための糸状形成物の間に分散させた粒状の充填剤または詰め物とを備える。粒状充填剤は、ポリオレフィン系材料およびポリビニル系材料からなる群の中から選択してもよい。
【０００４】
この解決手段に関する有用な工夫が、欧州特許出願公開第１３１９７５３号、第１３７５７５０号、第１３７１７７９号、および欧州特許出願第０３４２５３６９号の文献に開示されており、これらの文献は本出願の出願人に譲渡されている。
【０００５】
人工芝カバーの特定領域以外に注意を向けると、床張りがスポーツアクティビティ用に設計されたか、その他の用途に設計されたによらず、全体的には、床張りの一般的な敷設状態に対する関心があまりなかった。例えば、凸状構造物に起因して、雨水の良好な水はけを実現するために、屋外に配設されるものとして設計された床張りの場合など、表面を実質的に平坦にするように設計された場合を除いて、実際のところ、床張りは、一般には、セメントからなる路盤や押し固めた地面などのフロア基礎の上に設置されるべきものと考えられてきた。一方、路床の特長が均一でなく、そして／または予見が極めて困難であるとき、この問題は、既存の床張りや路床の上に一時的に配設された状態で用いられるように設計されたスポーツ施設用床張りなど、他のタイプの床張りにも共通する問題であった。産業用、商業用、および住居用のタイプの床張りに対しても同様の考察がなされる。
【発明の開示】
【０００６】
本発明は、上記説明した問題点を克服し、例えば、人工芝カバーなどのスポーツ施設用床張りの敷設状態を、十分満足でき、高い確実性をもって事前に特定できるように設置することができる解決手段を提供するものである。
【０００７】
本発明によれば、添付クレームで特に規定された特徴を有する基層を用いることにより、上記目的を実現することができる。また本発明は、対応する製造方法に関する。
【０００８】
クレームは、本発明に関して以下説明する必須部分を構成している。
【０００９】
本発明は、技術的には「緩衝パッド」と定義される弾性基層を製造し、使用する上で好適であり、一般的にはスポーツ施設用の構造体、特には人工芝カバーの構造体に好ましい特徴を与えるために考案されたものである。
【００１０】
厚みの点と構造および設計の両方の点において対応する、さまざまな形状を有するマットレスの形態が製造されている。スポーツ、日常生活、理学療法、およびリハビリのための要請によらず、さまざまな変形例により、特定の要請に対応可能なシステムが提供される。
【００１１】
フットボール競技場の場合、ここに開示される解決手段を用いて、セメントおよびアスファルトからなる土台に置き換えることができる。バスケットボールおよびバレーボールのための屋内競技場および多目的用途の屋内競技場の場合、スポーツ用の床張りからセメント基礎の堅さを取り除き、長時間のトレーニングに必要な衝撃吸収特性および十分な弾性特性を床張りに与えるように、そしてすべてのレベルの競技における競技者がトレーニング中に受ける虞のある回避すべき怪我のリスクを取り除くように研究されてきた（スポーツ競技場においては、この点に関して極めて明確な規格がある。）。
【００１２】
ここに開示された解決手段は、フィットネス動作およびリハビリ動作のために採用されるものであって、術後のリハビリ動作に対して完全に適しており、手足が床に接触したとき、硬い表面の作用としてエネルギを跳ね返すことなく、インパクト（衝撃）を和らげる機能を有する。
【００１３】
ここで開示される解決手段は、好適にも、幼い子供たちの遊び場として提供される安全領域、公園、学校や保育所などの公共施設において、転倒時の衝撃を緩和し、これらの建築物を利用するすべての人々が怪我しないような安全基準を満足させるものである。
【００１４】
ここに開示された解決手段は、同様に、労働者が立った状態で長時間過ごす必要のある作業領域（キャッシュデスク、受付デスク、チケットオフィス）において採用されることも適当であり、その結果、硬い表面に立っていることに起因した労働者の疲れを軽減することができる。
【００１５】
結論的には、好適にも、スポーツ関係のみならず、安全またはリハビリのため必要な異なる要請に呼応するさまざまな製品を実現するために、対応するシステムを作製することができる。
【発明を実施するための最良の形態】
【００１６】
単に例示のためであって、限定的に解釈すべきでない実施例に関して、添付図面を参照しながら、本発明について以下説明する。
【００１７】
図１において、参照符号１は、全体として、人工芝カバーの構造体からなるスポーツ施設用床張りとして具現化された床張りを示し、この床張りは、概略、ベース部２と、天然芝の草色の草地を模倣したベース部２から延びる複数の糸状形成物３とを有する。
【００１８】
いずれにせよ、ここで改めて強調するが、本発明は特定のタイプの床張りに対して用いられるものと限定して解釈すべきではない。本発明の解決手段によれば、実際、任意のタイプの床張りの状態（堅さ）を、十分満足でき、高い確実性をもって事前に特定できるように設置することができる
【００１９】
図１に示す人工芝カバー１の構造体は、糸状形成物３を実質的に直立させた状態に維持するために、糸状形成物３の間に配設された粒状充填材４（「詰め物材料」または「詰め物」という。）を用いて実現することができる。好都合にも、これらの詰め物材料は、ポリオレフィン系材料およびポリビニル系材料からなる群の中から選択される実質的に均一な質量を有する粒状物質を用いて形成することができる。
【００２０】
ただし、ここに開示される解決手段は、充填材を用いて、件の人工芝カバー用あるいはその他の用途として設計されたものかには依存しない。
【００２１】
人工芝カバー１の通常の設置状態において、ベース部２が弾性基層２０の上に載置されるように設計されるが、その特徴についてより詳細に以下説明する。
【００２２】
図１の概略図において、糸状形成物３は、遠位端または上端において、柔らかな、あるいは豪奢なビロードのような様相、すなわち折り重なりのない様相を呈する。ただし、ここに開示された解決手段は、択一的には、全体として「ブークレ」と広く呼ばれるタイプの織物またはモケットに似せた様相を構造体１に付与するように設計された、糸状形成物３が一般に湾曲した形状、あるいはループ形状を有する人工芝にも同様に適用される。
【００２３】
基層２０は、基本的に、通常「衝撃パッド」と呼ばれる弾性基層としての機能を発揮するように設計され、この弾性基層は、一般にはスポーツアクティビティのために用いられる構造体、とりわけ人工芝カバーに好ましい生体力学的特徴を与えるものである。
【００２４】
ここに開示された例示的な実施形態において、層２０は、一般に層状の構造体を有し、図１は、基層の特徴をより明確に図示するために、構成部品を故意に実際の寸法比とは異なるように図示し、基層のさまざまな構成部品を示している。
【００２５】
図１に示す敷設状態を参照しながら、屋外用途として好適な上述の層状構造体を上から下に向かって順次説明する。一方、例えば屋内用として用いる場合や、薄くてかつ柔軟性のある床張りが存在する場合などのいくつかの敷設状態においては、図１に示す位置関係とは異なり、基層２０の敷設状態を１８０°上下反転させてもよいことを検討する必要がある。
【００２６】
ベース部２に対向する構造体の第１の層は、不織布（ＮＷ）２１の層を用いて形成される。これは、連続糸ジオテキスタイル（geo-textile）不織布と一般に呼ばれるタイプの素材であり、通常、ニードルド・フェルト（needeled-felt）のプロセスを用いて得ることができる。件の素材は、例えば、イタリア国家規格UNI EN ISO 965による単位面積あたりの重量（比重）が２００〜４００ｇ／ｍ２で、通常３００ｇ／ｍ２であり、好適にはポリエステル樹脂から構成される。
【００２７】
ポリエステル不織布層２１は、例えば低密度ポリエチレン（ＬＤＰＥ）からなり、６０〜１２０ｇ／ｍ２、通常９０ｇ／ｍ２の比重を有するポリオレフィン層２２に接合される。この合成層２１，２２は、一辺が２０〜６０ｍｍ、通常４５ｍｍで、高さが２０〜４０ｍｍ、通常３０ｍｍの平行六面体形状のポーチ（小袋）を形成するように熱成形される。
【００２８】
例えばリサイクル処理されたタイアの顆粒などの顆粒状の弾性材料２３が、例えば５〜２０ｋｇ／ｍ２で、事前に熱成形されたポーチに充填される。顆粒状の弾性材料２３は、０．５〜０．７ｍｍの大きさを有する。充填容量は、当然に、ポーチの大きさにより変化する。現在のところ好適な充填材の量は、上述の５〜２０ｋｇ／ｍ２の範囲で、約１２ｋｇ／ｍ２である。
【００２９】
図１において弾性材料２３の下方に配置されているのは、上述のポリエステル層２１とポリオレフィン層２２と実質的に同じ層２５，２４からなる合成層である。すなわち、ポリオレフィン層２４は、例えば低密度ポリエチレン（ＬＤＰＥ）からなり、６０〜１２０ｇ／ｍ２、通常９０ｇ／ｍ２の比重を有する。またポリオレフィン層２４は、同様に、連続糸ジオテキスタイル（geo-textile）不織布と一般に呼ばれるタイプの素材であって、通常、ニードルド・フェルト（needeled-felt）のプロセスを用いて得られる不織布層２５に熱接着される。この素材は、例えば、イタリア国家規格UNI EN ISO 965による単位面積あたりの重量（比重）が２００〜４００ｇ／ｍ２で、通常３００ｇ／ｍ２であり、好適にはポリエステル樹脂から構成される。
【００３０】
２つのポリオレフィン層２２，２４は、互いに対して熱シール（熱封止）し、顆粒状材料２３を収容するポーチを覆い、顆粒状材料２３を包囲し、個々のポーチを不浸透性とし、その内容物が漏れ出ることを防止する。
【００３１】
これにより、顆粒状材料または構成部品が外部部材に接触することが防止され、そして／または顆粒状材料または構成部品が外部へ移動し、離脱することが回避され、一般的には、水や湿気がポーチ内に浸透しないようにし、低温でも良好な圧縮性を確保することができる。そのため、タイアおよび／またはガスケットなどのさまざまな組成物をリサイクル処理した粉末材料を用いることができる。リサイクル済材料は、上述のように包囲されているので、例えば、芳香族アミン、および／または規格ISO 13877で定義されたＰＡＨとして広く知られた製品などを含むすべての物質を、外部環境に放出することはなく、生態学的に悪影響を与えることを阻止することができる。
【００３２】
基層２０上に配設される床張り１を省略して図示した図２の斜視図を参照すると、上述の基層２０の構造体の組成物がより十分に理解される。
【００３３】
繰り返しになるが、本明細書では顆粒状材料２３を含むポーチが、層２４および層２５で特定されるコア平面に対して上方向に突出するように配設された状態を参照して、基層２０を説明するが、これとは反対に、顆粒状材料２３を含むポーチを、層２４および層２５で特定される上記コア平面に対して下方向に突出するように配設してもよいことに留意されたい。
【００３４】
上述の基層２０の一連の製造方法において、不織布層（一般に市販されているジオテキスタイル材料からなる層）２１を原材料とし、当業者に広く知られているためにさらなる説明の必要のない手法を用いて、不織布層２１に層２２が熱接着される（図４参照）。
【００３５】
こうして得られた合成材料からなる第１の層構造物が、図５に示すように熱成形されて、符号２２ａで示す上述のポーチを形成する。
【００３６】
図５に示すように、ポーチ２２ａの開口部が上向きとなるようにポーチを形成する熱成形されなかった場合には、第１の層構造物を上下反転させた後、粒状材料２３がポーチ２２ａ内に充填される（図６）。
【００３７】
合成層２４，２５からなる第２の層構造物は、合成層２１，２２を構成するそれぞれの層と基本的に同じ形態（モダリティ）を用いて形成され、先に組み込まれた構成部品とともに、ヒートシール・ツールＴを用いて最終的にヒートシールされる。その結果、それぞれのポーチおよびその内容物を包囲し、各ポーチを不浸透性とし、その内容物が漏れ出ることを防止する。
【００３８】
その結果得られたものは、床張り１のための弾性基層２０であって、第１の層構造物２１，２２と、第２の層構造物２４，２５とを有し、これらの層構造物は、その間に粒状弾性材料２３からなる充填物を収容するポーチを包囲する。
【００３９】
図３の平面図からより明確に理解されるように、必要に応じて、直径が３〜４ｍｍのドレイン孔２６を、例えばポーチの側部および／または角部に設けてもよい。屋内環境下で用いられる場合など、他の用途においては、層２１，２２と層２４，２５をシール（封止）することにより、むしろ、水蒸気に対する障壁としての機能を有する連続的構造体を形成することができる。
【００４０】
このようにして得られた積層構造体は、プレート／パネルまたはシート／ロールの態様を有し得る。一般的なプレート／パネルの形態では、その寸法が１２０ｃｍ×１０５ｃｍ、その表面積が１．２６ｍ２であり、各ポーチが３０ｍｍより大きい一辺で構成される正方形の底面と、３０ｍｍより大きい高さを有する。シート／ロールの形態を用いて、３０ｍｍより小さい一辺で構成される正方形の底面と、３０ｍｍより小さい高さを有するポーチを有する基部２０が構成される。
【００４１】
最終的な使用に際して、上述の部材が、いわゆる「ダイナミック型」または「安定型」と呼ばれるドレイン式基層の上に直接的に配設され、こうしてアスファルトの路床上に設置することを回避することができる。ダイナミック型の基層は、実質的に小型化されたロール式の充填層を用いて得ることができ、排水機能が高く、負荷応力に強い、中／大サイズの石灰物質を用いて実現することができる。人工芝カバーを配設するために準備の整った、適当な土台が得られるまで、分配され、捲回された４／５ｃｍの火山物質および火山砂を用いて、基層の表面が形成される。
【００４２】
ここに開示した床張り１は、上述の土台の上に設置される。同様に、床張りを配設する前に、基層２０の表面の上に、例えば５ｍｍ〜１０ｍｍの深さを有する砂の層を配設することもできる。図１において、上記のような砂の追加をＳで示し、図示された敷設状態において、砂Ｓは、隣接するポーチの間の溝の中に配置されている。
【００４３】
砂（または他の顆粒状部材）を基層２０上に配設することにより、基層２０と、その上に配設される床張り／カバーとからなる集合体の生体力学的特性を選択的に変更することができる。
【００４４】
ここに開示された基層を用いて、とりわけ８ｍｍ以下の垂直方向の変形に関するエネルギ吸収率（必要条件＞６０％）において、ＦＩＦＡの標準規格（ハンドブック２００５年２月２８日版）に準拠した最終的な製品を実現することができる。
【００４５】
ここに開示された基層は、圧縮・変形に対する抵抗、エネルギ吸収度、当初の品質管理、高温および低温状態における良好な挙動、良好な排水機能、安価な製造コスト、長寿命、長期間の特性維持、優れた寸法安定性、自然な遊興特性、環境に与える悪影響が少ない点において優れた品質を呈する。
【００４６】
当然に、本発明の原理・原則から逸脱することなく、本明細書において単に例示的に非限定的に説明、図示したものに対して、構成体および実施形態の詳細を幅広く変更することができる。とりわけ、人工芝カバーなどのスポーツアクティビティ用床張り以外の床張りとともに用いられる基層を使用する場合においても同様に、構成体および実施形態の詳細を幅広く変形させることができる。
【図面の簡単な説明】
【００４７】
【図１】図１は、本発明の基層を有する人工芝カバーなどのスポーツ施設用床張り構造の一般的な断面図である。
【図２】図２は、本発明の基層の一部分を示す部分的破断斜視図である。
【図３】図３は、本発明の基層の一部分を示す平面図である。
【図４】図４は、本発明の基層の製造方法の一連のステップを示す断面図である。
【図５】図５は、本発明の基層の製造方法の一連のステップを示す断面図である。
【図６】図６は、本発明の基層の製造方法の一連のステップを示す断面図である。
【図７】図７は、本発明の基層の製造方法の一連のステップを示す断面図である。
【図８】図８は、本発明の基層の製造方法の一連のステップを示す断面図である。
【符号の説明】
【００４８】
１  床張り（flooring）、２  ベース部、３  糸状形成物、４  粒状充填材、
２０  基層、２１，２５  不織布層、２２，２４  ポリオレフィン層、
２２ａ  ポーチ、２３  弾性材料、２６  ドレイン孔。
【図１】
2006328944.tif 000003
【図２】
2006328944.tif 000004
【図３】
2006328944.tif 000005
【図４】
2006328944.tif 000006
【図５】
2006328944.tif 000007
【図６】
2006328944.tif 000008
【図７】
2006328944.tif 000009
【図８】
2006328944.tif 000010